(57)【要約】【課題】複数の燃焼部が同時燃焼状態で不完全燃焼が発生した場合、どの燃焼部で不完全燃焼を起こしているかを特定し、燃焼部の改善運転を的確に実施できる複合燃焼機器を提供する。【解決手段】給湯用燃焼部１と、暖房用燃焼部２と、各々の燃焼部と連通する排気部３と、排気部３に設けたＣＯ濃度検出手段７と、ＣＯ濃度検出手段７で検出されたＣＯ濃度を演算し、給湯用燃焼部１と暖房用燃焼部２の燃焼を改善させる制御手段８とを備え、制御手段は給湯用燃焼部１と暖房用燃焼部２が同時に燃焼している場合、どちらか一方の燃焼を変化させることにより、不完全燃焼がどの燃焼部で発生しているかを特定することができる。【選択図】  図１
2004226027.tif 000002
【特許請求の範囲】
【請求項１】
燃焼部Ａと、燃焼部Ｂと、夫々の燃焼部に連通し、燃焼排ガスを排出する排気部と、前記排気部に設け、燃焼排ガス中のＣＯ濃度を検出するＣＯ濃度検出手段と、前記ＣＯ濃度検出手段で検出されたＣＯ濃度を演算し、前記燃焼部Ａと燃焼部Ｂの不完全燃焼を改善させる制御手段とを備え、前記複数の燃焼部が同時に燃焼している場合、一方の燃焼部の燃焼を変化させることにより、不完全燃焼がどの燃焼部で発生しているかを特定する制御手段を有する複合燃焼機器の不完全燃焼検出装置。
【請求項２】
制御手段は、複数の燃焼部が同時に燃焼している場合に、前記いずれかの燃焼部の燃焼を一旦消火させて、不完全燃焼がどの燃焼部で発生しているかを特定する請求項１に記載の複合燃焼機器の不完全燃焼検出装置。
【請求項３】
制御手段は、複数の燃焼部が同時に燃焼している場合に、前記いずれかの燃焼部の燃焼出力を減少させることにより、不完全燃焼がどの燃焼部で発生しているかを特定する請求項１に記載の複合燃焼機器の不完全燃焼検出装置。
【請求項４】
制御手段は、複数の燃焼部が同時に燃焼している場合に、前記いずれかの燃焼部における燃焼用空気供給ファンの出力を一時的に増加させることにより、不完全燃焼がどの燃焼部で発生しているかを特定する請求項１に記載の複合燃焼機器の不完全燃焼検出装置。
【請求項５】
制御手段は、不完全燃焼がどの燃焼部で発生しているかを特定する場合、燃焼改善の度合いによって複数の燃焼部か、もしくはいずれかの前記燃焼部であるかを特定する請求項１〜４のいずれか１項に記載の複合燃焼機器の不完全燃焼検出装置。
【発明の詳細な説明】
【０００１】
【発明の属する技術分野】
本発明は、複数の燃焼部を有した燃焼機器の不完全燃焼検出装置に関するものである。
【０００２】
【従来の技術】
従来この種の燃焼機器の不完全燃焼検出装置としては、例えば、単一の燃焼部を有する燃焼機器に関するものであった（特許文献１参照。）。図６は前記特許文献１に記載された従来の燃焼機器における不完全燃焼検出装置の構成を示すブロック図である。
【０００３】
図６において、多数のフィンとこれを貫通した給水パイプからなる給湯用熱交換器６０は、給水口６１から流入した水を給湯用燃焼部６２により加熱されることにより温水化し給湯口６３から給湯する。給湯用燃焼部６２は、電磁弁６４、燃料供給量の給湯用比例制御弁６５を介して供給されたガスと燃焼用空気を供給する給湯用ファン６６から送られた空気との混合ガスを燃焼させる。この給湯用燃焼部６２に連通した排気部６７は、給湯用熱交換器６０と熱交換した給湯用燃焼部６２の排気ガスを案内して機器本体ケース６８の外に排出する。
【０００４】
機器本体ケース６８に設けた吸気部６９は、給湯用ファン６６の作用により燃焼用空気を機器本体ケース６８内に案内する。排気部６７に設けたＣＯ濃度検出手段７０は、排気部６７を流れる排気ガス中のＣＯを検出する。制御手段７１は、ＣＯ濃度検出手段７０の検知信号に基きＣＯ値を演算して給湯用燃焼部６２が不完全燃焼に陥った時に燃焼改善を行うべく給湯用ファン６６の出力を調整するとともに、常には給湯用燃焼部６２の燃焼量に応じたガスと燃焼用空気を給湯用燃焼部６２に送り完全燃焼させるため給湯用比例制御弁６５と給湯用ファン６６の出力を制御する。
【０００５】
このような構成において、給湯用熱交換器６０における多数のフインの目詰まりや、給気部６９のホコリ詰まり等により、燃焼用空気の流入が不足すると給湯用燃焼部６２で不完全燃焼が発生する。燃焼排気ガスは、排気部６７を通りＣＯ濃度検出手段７０を経由し機器本体ケース６８外に排出される。そして、ＣＯ濃度検出手段７０で検出したＣＯ値を制御手段７１は取り込んで演算し、給湯用燃焼部６２が不完全燃焼に陥っていると、給湯用燃焼部６２の燃焼改善を行うべく給湯用ファン６６の出力を大きく調整し、燃焼用空気を多く供給するものである。
【０００６】
しかしながら、前記従来の構成では、燃焼部が単一の機器に関してのみ有効であり、燃焼部を複数備えた複合燃焼機器おいては前記従来の構成では、複数の燃焼部が同時燃焼状態で不完全燃焼が発生した場合、どの燃焼部が不完全燃焼を起こしているか、特定できないという課題を有していた。
【０００７】
【特許文献１】
特開平７−１８０８３４号公報
【０００８】
【発明が解決しようとする課題】
上記従来の問題点に鑑み、本発明が解決しようとする課題は、複数の燃焼部が同時燃焼状態で不完全燃焼が発生した場合、どの燃焼部が不完全燃焼を起こしているかを特定し、燃焼部の改善運転を的確に実施できる複合燃焼機器を提供することにある。
【０００９】
【課題を解決するための手段】
上記従来の課題を解決するために、本発明の複合燃焼機器の不完全燃焼検出装置は、複数の燃焼部が同時燃焼している場合、いずれかの燃焼部の燃焼を変化させることにより、不完全燃焼がいずれの燃焼部で発生しているかを特定する制御手段を設けたものである。これにより、どの燃焼部が不完全燃焼を起こしているかを適切に特定し、その燃焼部の燃焼改善を行い複合燃焼機器を安全に使用することができる。
【００１０】
【発明の実施の形態】
上記した本発明の目的は、各請求項に記載した構成を実施の形態とすることにより達成できるので、以下には各請求項の構成にその構成による作用効果を併記し併せて請求項記載の構成のうち説明を必要とする特定用語については詳細な説明を加えて、本発明における実施の形態の説明とする。
【００１１】
請求項１記載に係る発明は、燃焼部Ａと、燃焼部Ｂと、夫々の燃焼部に連通し、燃焼排ガスを排気する排気部と、前記排気部に設けたＣＯ濃度検出手段と、前記ＣＯ濃度検出手段で検出されたＣＯ濃度を演算し、前記燃焼部Ａと燃焼部Ｂの不完全燃焼を改善させる制御手段とを備え、前記複数の燃焼部が同時に燃焼している場合、いずれかの燃焼部の燃焼を変化させることにより、不完全燃焼がどの燃焼部で発生しているかを特定する制御手段を有する複合燃焼機器の不完全燃焼検出装置で、この実施の形態によれば制御手段は燃焼を変化させる前後でのＣＯ濃度検出手段の検出するＣＯ値の変化によって、どの燃焼部が不完全燃焼を起こしているかを特定することが可能になり、その燃焼部の不完全燃焼を改善する。
【００１２】
請求項２記載に係る発明は、請求項１記載において、制御手段は、複数の燃焼部が同時に燃焼している場合に、前記いずれかの燃焼部の燃焼を一旦消火させて、不完全燃焼がどの燃焼部で発生しているかを特定する複合燃焼機器の不完全燃焼検出装置で、この実施の形態によれば制御手段は、いずれかの燃焼部の燃焼を消火させる前後でのＣＯ濃度検出手段が検出するＣＯ値の変化によって、どの燃焼部が不完全燃焼を起こしているかを明確に特定することが可能になり、その燃焼部の不完全燃焼を改善する。
【００１３】
請求項３記載に係る発明は、請求項１記載において、制御手段は複数の燃焼部が同時に燃焼している場合に、前記いずれかの燃焼部の燃焼出力を減少させることにより、不完全燃焼がどの燃焼部で発生しているかを特定する複合燃焼機器の不完全燃焼検出装置で、この実施の形態によれば制御手段は、燃焼出力を減少させる前後でのＣＯ濃度検出手段が検出するＣＯ値の変化によって、いずれの燃焼部が不完全燃焼を起こしているかを明確に特定することが可能になり、その燃焼部の不完全燃焼を改善する。
【００１４】
請求項４記載に係る発明は、請求項１記載において、制御手段は複数の燃焼部が同時に燃焼している場合に、前記いずれかの燃焼部における燃焼用空気供給ファンの出力を一時的に増加させることにより、不完全燃焼がどの燃焼部で発生しているかを特定する複合燃焼機器の不完全燃焼検出装置で、この実施の形態によれば制御手段は、燃焼用空気供給ファンの出力を一時的に増加させる前後でのＣＯ濃度検出手段が検出するＣＯ値の変化によって、いずれの燃焼部が不完全燃焼を起こしているかを明確に特定することが可能になり、その燃焼部の不完全燃焼を改善する。
【００１５】
請求項５記載に係る発明は、請求項１〜４のいずれかの記載において、制御手段は不完全燃焼がどの燃焼部で発生しているかを特定する場合、燃焼改善の度合いによって複数の燃焼部か、もしくはいずれかの前記燃焼部であるかを特定する複合燃焼機器の不完全燃焼検出装置で、この実施の形態によれば制御手段はいずれかの燃焼部の消化する前後のＣＯ濃度の変化量によって不完全燃焼の燃焼部を特定することが可能になり、その燃焼部の不完全燃焼を改善する。なお、不完全燃焼の改善とは、例えば不完全燃焼している燃焼部に燃焼用空気を多く供給するべく燃焼用空気供給ファンの出力を調整することが考えられる。また、複数の燃焼部とは燃焼部Ａと燃焼部Ｂの二つの場合である。
【００１６】
【実施例】
以下、本発明の実施例について図１〜図５を参照しながら説明する。
【００１７】
（実施例１）
図１は本発明の第１の実施例における複合燃焼機器の不完全燃焼検出装置の構成を示すブロック図で、図２は同複合燃焼機器の不完全燃焼検出装置における動作を示すフローチャートである。
【００１８】
図１、図２において、複数の燃焼部Ａである給湯用燃焼部１と燃焼部Ｂである暖房用燃焼部２は共通の排気部３で連結されている。給湯用燃焼部１と暖房用燃焼部２には、それぞれ燃焼用空気供給ファンである給湯用ファン４と暖房用ファン５が接続され、燃焼に必要な空気は、給湯用ファン４と暖房用ファン５によって機器本体ケース１１に設けた給気部６から機器内に流入する。給湯用燃焼部１と暖房用燃焼部２の燃焼により発生した排気ガスは、排気部３に案内され機器本体ケース１１外に排出され、排気部３の途中に設けたＣＯ濃度検出手段７は排気ガス中に含まれるＣＯ値を検出する。
【００１９】
制御手段８はマイクロコンピュータおよびその周辺回路から構成され、常には燃焼する給湯用燃焼部１または暖房用燃焼部２の燃焼量に応じたガスと燃焼用空気を、それぞれの燃焼部に送り完全燃焼させるため燃料供給量比例制御弁である給湯用比例制御弁１２または暖房用比例制御弁１３と給湯用ファン４または暖房用ファン５の出力を制御する。
【００２０】
また制御手段８は、給湯用燃焼部１と暖房用燃焼部２が単独または同時に燃焼している場合、不完全燃焼している燃焼部の特定とその燃焼部の燃焼改善を行うために図２のフローチャートに示すステップ（以下Ｓと表示する）１〜Ｓ１２の制御シーケンスを実行するプログラムを格納しており、すなわち給湯用燃焼部１と暖房用燃焼部２が同時に燃焼している場合、いずれかの燃焼部の燃焼を一時的に消化する等の変化をさせることにより、前記燃焼を変化させる前後におけるＣＯ濃度検出手段７の検出するＣＯ値の変化によって不完全燃焼がどの燃焼部で発生しているかを特定するとともに、特定した不完全燃焼の給湯用燃焼部１または暖房用燃焼部２または両燃焼部の燃焼改善を行うべく給湯用ファン４または暖房用ファン５の出力を調整する。９と１０は間隔を有して並設した多数のフィンおよびこれを貫通した給水パイプからなる給湯用熱交換器と暖房用熱交換器で、１４と１５は給湯用燃焼部１と暖房用燃焼部２にガスの供給および遮断を行う電磁弁である。１６は暖房用熱交換器１０の入れ口と出口に接続して暖房温水回路を構成する暖房用のファンコイルユニットで、１７、１８は給湯用熱交換器９の給水口と給湯口である。図中、点線は制御手段８の制御信号線である。
【００２１】
以上のように構成された複合燃焼機器の不完全燃焼検出装置について、以下その動作と作用を説明する。制御手段８を通じて給湯用燃焼部１と暖房用燃焼部２を、設定した燃焼量で単独または同時運転を指示すると、電磁弁１４、１５が開き、そして給湯用ファン４、暖房用ファン５が回転して吸気部６から燃焼用空気が流入し、設定燃焼量に制御された給湯用比例制御弁１２と暖房用比例制御弁１３、給湯用ファン４と暖房用ファン５によりガスと燃焼用空気が給湯用燃焼部１と暖房用燃焼部２に供給され燃焼する。そして、給湯用燃焼部１に加熱された給湯用熱交換器９に流れる給水は湯となり、給湯され、また暖房用燃焼部２に加熱された暖房用熱交換器１０の温水はファンコイルユニット１６との回路を循環して暖房に使用される。
【００２２】
このような使用において、給気部６が埃で目詰まりや何らかの要因で給湯用熱交換器９、暖房用熱交換器１０の多数のフインが閉塞状態になると、燃焼用空気不足から、給湯用燃焼部１や暖房用燃焼部２が不完全燃焼して多量のＣＯを発生する。そして、排気ガス中のＣＯはＣＯ濃度検出手段７で検出され、検出したＣＯ値が制御手段８で燃焼改善データとして用いられる。
【００２３】
すなわち、複合燃焼機器の使用中、制御手段８はＳ１でＣＯ濃度検出手段７の検出信号を取り込んで監視し、Ｓ２でＣＯ濃度が閾値以上か比較判断し、以下であればそのまま燃焼を継続させるＳ３に進み、閾値以上であればＳ４で給湯用または暖房用の燃焼部の単独燃焼かどうかを判断し、単独であればＳ５に進み、燃焼している給湯用または暖房用のいずれかの燃焼部における不完全燃焼の改善運転の制御を行う。すなわち、給湯用ファン４または暖房用ファン５の回転数を、ＣＯ濃度が閾値以下になるまで上昇させて燃焼用空気の不足を補い、Ｓ３の燃焼継続に移行する。
【００２４】
しかし、Ｓ４で給湯用または暖房用の燃焼部の単独燃焼でない、つまり同時に燃焼運転をしていると判断をするとＳ６に進み、いずれか一方、例えば暖房用燃焼部２をいったん消化し、Ｓ７でＣＯ濃度検出手段７の検出信号を取り込んで監視し、Ｓ８でＣＯ濃度が閾値以下か比較判断し、閾値以下であればＳ９で暖房用燃焼部２の不完全燃焼と特定し、Ｓ１０で不完全燃焼の改善運転の制御を行うため、暖房用ファン５の回転数をＣＯ濃度が閾値以下になるまで上昇させて燃焼用空気の不足を補い、Ｓ３の燃焼継続に移行する。
【００２５】
また、Ｓ８でＣＯ濃度が閾値以下か比較判断し、閾値以下でなければＳ１１で給湯用燃焼部１の不完全燃焼と特定し、Ｓ１２で不完全燃焼の改善運転の制御を行うため、給湯用ファン４の回転数をＣＯ濃度が閾値以下になるまで上昇させて燃焼用空気の不足を補い、Ｓ３の燃焼継続に移行する。
【００２６】
以上のように本実施例では、複数の燃焼部が単独燃焼している時はもちろん、同時に燃焼している場合、制御手段はいずれかの燃焼部の燃焼を一時的に消化させる変化により、前記燃焼を変化させる前後におけるＣＯ濃度検出手段の検出するＣＯ値の変化によって不完全燃焼がどの燃焼部で発生しているかを特定し、その不完全燃焼の燃焼部における燃焼用空気供給ファンの出力を増加させ燃焼改善を行うことができる。
【００２７】
（実施例２）
図３は本発明の第２の実施例における複合燃焼機器の不完全燃焼検出装置における動作を示すフローチャートである。本実施例は、複合燃焼機器の不完全燃焼検出装置の構成が、実施例１の発明と制御手段の制御シーケンスを実行するプログラムが異なるだけで、それ以外は実施例１におけるブロック図と基本的に同じなので、図１を利用して詳細な説明は省略する。
【００２８】
制御手段８は、複数の燃焼部である給湯用燃焼部１と暖房用燃焼部２が同時に燃焼している場合、不完全燃焼している燃焼部の特定とその燃焼部の燃焼改善を行うために図３のフローチャートに示すＳ１〜Ｓ１２の制御シーケンスを実行するプログラムを格納しており、すなわち給湯用燃焼部１と暖房用燃焼部２が同時に燃焼している場合、いずれかの燃焼部の燃焼出力（燃焼量）を一時的に最小にすることにより、前記燃焼出力を最小にする前後におけるＣＯ濃度検出手段７の検出するＣＯ値の変化によって不完全燃焼がどの燃焼部で発生しているかを特定するとともに、特定した不完全燃焼の給湯用燃焼部１または暖房用燃焼部２の燃焼改善を行うべく給湯用ファン４または暖房用ファン５の出力を調整する。
【００２９】
上記実施例において、実施例１で説明したように暖房用および給湯用に使用している際に、給気部６が埃で目詰まりや、何らかの要因で給湯用熱交換器９、暖房用熱交換器１０の多数のフインが閉塞状態になると、燃焼用空気不足から給湯用燃焼部１や暖房用燃焼部２が不完全燃焼して多量のＣＯを発生する。そして、排気ガス中のＣＯはＣＯ濃度検出手段７で検出され、検出したＣＯ値が制御手段８で燃焼改善データとして用いられる。
【００３０】
すなわち、複合燃焼機器の使用中、制御手段８はＳ１でＣＯ濃度検出手段７の検出信号を取り込んで監視し、Ｓ２でＣＯ濃度が閾値以上か比較判断し、以下であればそのまま燃焼を継続させるＳ３に進み、閾値以上であればＳ４で給湯用または暖房用の燃焼部の単独燃焼かどうかを判断し、単独であればＳ５に進み、燃焼している給湯用または暖房用のいずれかの燃焼部における不完全燃焼の改善運転の制御を行う。すなわち、給湯用ファン４または暖房用ファン５の回転数を、ＣＯ濃度が閾値以下になるまで上昇させて燃焼用空気の不足を補い、Ｓ３の燃焼継続に移行する。
【００３１】
しかし、Ｓ４で給湯用または暖房用の燃焼部の単独燃焼でない、つまり同時に燃焼運転していると判断をするとＳ６に進み、いずれか一方、例えば暖房用燃焼部２の出力を最小に変化させ、Ｓ７でＣＯ濃度検出手段７の検出信号を取り込んで監視し、Ｓ８でＣＯ濃度が閾値以下か比較判断し、閾値以下であればＳ９で暖房用燃焼部２の不完全燃焼と特定し、Ｓ１０で不完全燃焼の改善運転の制御を行うため、暖房用ファン５の回転数をＣＯ濃度が閾値以下になるまで上昇させて燃焼用空気の不足を補い、Ｓ３の燃焼継続に移行する。
【００３２】
また、Ｓ８でＣＯ濃度が閾値以下か比較判断し、閾値以下でなければＳ１１で給湯用燃焼部１の不完全燃焼と特定し、Ｓ１２で不完全燃焼の改善運転の制御を行うため、給湯用ファン４の回転数をＣＯ濃度が閾値以下になるまで上昇させて燃焼用空気の不足を補い、Ｓ３の燃焼継続に移行する。
【００３３】
以上のように本実施例では、複数の燃焼部が単独燃焼している時はもちろん、同時に燃焼している場合、制御手段はいずれかの燃焼部の燃焼出力を減少に変化させることにより、前記燃焼出力を減少にする前後におけるＣＯ濃度検出手段の検出するＣＯ値の変化によって不完全燃焼がどの燃焼部で発生しているかを特定し、その不完全燃焼の燃焼部における燃焼用空気供給ファンの出力を増加させることにより、不完全燃焼を改善することができる。
【００３４】
なお、上記実施例では不完全燃焼がどの燃焼部で発生しているかを特定するのに、いずれかの燃焼部の燃焼出力を最小に変化させたが、これに限定されるものではなく、ＣＯ濃度検出手段の検出するＣＯ値の変化によって不完全燃焼がどの燃焼部で発生しているかを特定できる減少であれば良い。
【００３５】
（実施例３）
図４は本発明の第３の実施例における複合燃焼機器の不完全燃焼検出装置における動作を示すフローチャートである。本実施例は、複合燃焼機器の不完全燃焼検出装置の構成が、実施例１の発明と制御手段の制御シーケンスを実行するプログラムが異なるだけで、それ以外は実施例１におけるブロック図と基本的に同じなので、図１を利用して詳細な説明は省略する。
【００３６】
制御手段８は、複数の燃焼部である給湯用燃焼部１と暖房用燃焼部２が同時に燃焼している場合、不完全燃焼している燃焼部の特定とその燃焼部の燃焼改善を行うために図４のフローチャートに示すＳ１〜Ｓ１２の制御シーケンスを実行するプログラムを格納しており、すなわち給湯用燃焼部１と暖房用燃焼部２が同時に燃焼している場合、いずれかの燃焼部の燃焼用空気供給ファンである暖房用または給湯用のファンの出力を一時的に増加することにより、前記暖房用または給湯用のファンの出力を増加する前後におけるＣＯ濃度検出手段７の検出するＣＯ値の変化によって不完全燃焼がどの燃焼部で発生しているかを特定するとともに、特定した不完全燃焼の給湯用燃焼部１または暖房用燃焼部２の燃焼改善を行うべく給湯用ファン４または暖房用ファン５の出力を調整する。
【００３７】
上記実施例において、実施例１で説明したように暖房用および給湯用に使用している際に、給気部６が埃で目詰まりや、何らかの要因で給湯用熱交換器９、暖房用熱交換器１０の多数のフインが閉塞状態になると、燃焼用空気不足から給湯用燃焼部１や暖房用燃焼部２が不完全燃焼して多量のＣＯを発生する。そして、排気ガス中のＣＯはＣＯ濃度検出手段７で検出され、検出したＣＯ値が制御手段８で燃焼改善データとして用いられる。
【００３８】
すなわち、複合燃焼機器の使用中、制御手段８はＳ１でＣＯ濃度検出手段７の検出信号を取り込んで監視し、Ｓ２でＣＯ濃度が閾値以上か比較判断し、以下であればそのまま燃焼を継続させるＳ３に進み、閾値以上であればＳ４で給湯用または暖房用の燃焼部の単独燃焼かどうかを判断し、単独であればＳ５に進み、燃焼している給湯用または暖房用のいずれかの燃焼部における不完全燃焼の改善運転の制御を行う。すなわち、給湯用ファン４または暖房用ファン５の回転数を、ＣＯ濃度が閾値以下になるまで上昇させて燃焼用空気の不足を補い、Ｓ３の燃焼継続に移行する。
【００３９】
しかし、Ｓ４で給湯用または暖房用の燃焼部の単独燃焼でない、つまり同時に燃焼運転していると判断をするとＳ６に進み、いずれか一方、例えば暖房用ファン５の出力を増加に変化させ、Ｓ７でＣＯ濃度検出手段７の検出信号を取り込んで監視し、Ｓ８でＣＯ濃度が閾値以下か比較判断し、閾値以下であれば燃焼改善が行われたことになるからＳ９で暖房用燃焼部２の不完全燃焼と特定し、Ｓ１０で不完全燃焼の改善運転の制御を行うため、暖房用ファン５の回転数をＣＯ濃度が閾値以下になるまで上昇させて燃焼用空気の不足を補い、Ｓ３の燃焼継続に移行する。
【００４０】
また、Ｓ８でＣＯ濃度が閾値以下か比較判断し、閾値以下でなければＳ１１で給湯用燃焼部１の不完全燃焼と特定し、Ｓ１２で不完全燃焼の改善運転の制御を行うため、給湯用ファン４の回転数をＣＯ濃度が閾値以下になるまで上昇させて燃焼用空気の不足を補い、Ｓ３の燃焼継続に移行する。
【００４１】
以上のように本実施例では、複数の燃焼部が単独燃焼している時はもちろん、同時に燃焼している場合、制御手段はいずれかの燃焼部の燃焼用空気供給ファンの出力を一時的に増加に変化させることにより、前記いずれかの燃焼部の燃焼用空気供給ファンの出力を増加にする前後におけるＣＯ濃度検出手段の検出するＣＯ値の変化によって不完全燃焼がどの燃焼部で発生しているかを特定し、その不完全燃焼の燃焼部における燃焼用空気供給ファンの出力を増加させることにより、不完全燃焼を改善することができる。
【００４２】
（実施例４）
図５は本発明の第４の実施例における複合燃焼機器の不完全燃焼検出装置における動作を示すフローチャートである。本実施例は、複合燃焼機器の不完全燃焼検出装置の構成が、実施例１の発明と制御手段の制御シーケンスを実行するプログラムが異なるだけで、それ以外は実施例１におけるブロック図と基本的に同じなので、図１を利用して詳細な説明は省略する。
【００４３】
制御手段８は、給湯用燃焼部１と暖房用燃焼部２が同時に燃焼している場合、不完全燃焼している燃焼部の特定とその燃焼部の燃焼改善を行うために図５のフローチャートに示すＳ１〜Ｓ１５の制御シーケンスを実行するプログラムを格納しており、すなわち複数の燃焼部である給湯用燃焼部１と暖房用燃焼部２が同時に燃焼している場合、いずれかの燃焼部をいったん消化して、その燃焼用空気供給ファンである暖房用ファン５または給湯用ファン４を停止することにより、給湯用燃焼部１または暖房用燃焼部２を停止する前後におけるＣＯ濃度検出手段７の検出するＣＯ値の変化量を基準値に対し大、中の２段階に分けて判定することにより、不完全燃焼がどの燃焼部、または給湯用燃焼部１と暖房用燃焼部２が同時に発生しているかを特定するとともに、特定した不完全燃焼の給湯用燃焼部１または暖房用燃焼部２の燃焼改善を行うべく給湯用ファン４または暖房用ファン５の出力を調整する。
【００４４】
上記実施例において、実施例１で説明したように暖房用および給湯用に使用している際に、給気部６が埃で目詰まりや、何らかの要因で給湯用熱交換器９、暖房用熱交換器１０の多数のフインが閉塞状態になると、燃焼用空気不足から給湯用燃焼部１や暖房用燃焼部２が不完全燃焼して多量のＣＯを発生する。そして、排気ガス中のＣＯはＣＯ濃度検出手段７で検出され、検出したＣＯ値が制御手段８で燃焼改善データとして用いられる。
【００４５】
すなわち、複合燃焼機器の使用中、制御手段８はＳ１でＣＯ濃度検出手段７の検出信号を取り込んで監視し、Ｓ２でＣＯ濃度が閾値以上か比較判断し、以下であればそのまま燃焼を継続させるＳ３に進み、閾値以上であればＳ４で給湯用燃焼部１または暖房用燃焼部２の単独燃焼かどうかを判断し、単独であればＳ５に進み、燃焼している給湯用または暖房用のいずれかの燃焼部における不完全燃焼の改善運転の制御を行う。すなわち、給湯用ファン４または暖房用ファン５の回転数を、ＣＯ濃度が閾値以下になるまで上昇させて燃焼用空気の不足を補い、Ｓ３の燃焼継続に移行する。
【００４６】
しかし、Ｓ４で給湯用または暖房用の燃焼部の単独燃焼でない、つまり同時に燃焼運転していると判断をするとＳ６に進み、いずれか一方、例えば暖房用燃焼部２をいったん消化して暖房用ファン５を停止させ、Ｓ７でＣＯ濃度検出手段７の検出信号を取り込んで監視し、Ｓ８でＣＯ濃度の変化量が「大」か比較判断し、「大」であれば、つまり暖房用燃焼部２の消化でＣＯ濃度が正常の燃焼時（不完全燃焼状態でない）に戻る大きな変化であればＳ９で暖房用燃焼部２の不完全燃焼と特定し、Ｓ１０で不完全燃焼の改善運転の制御を行うため、暖房用ファン５の回転数をＣＯ濃度が閾値以下になるまで上昇させて燃焼用空気の不足を補い、Ｓ３の燃焼継続に移行する。
【００４７】
また、Ｓ８でＣＯ濃度の変化量が「大」か比較判断し、「大」でなくＳ１１でＣＯ濃度の変化量が「中（大の１／２）」か比較判断し、「中」であれば、つまり同時に不完全燃焼している一方の暖房用燃焼部２の消化で一方の燃焼部の不完全燃焼が解消され、ＣＯ濃度が正常の燃焼時の値に戻るまでは至らないが半分程度の「中」の変化とみなし、Ｓ１２で給湯用燃焼部１と暖房用燃焼部２の同時不完全燃焼と特定し、Ｓ１３で両燃焼部における不完全燃焼の改善運転の制御を行うため、給湯用ファン４と暖房用ファン５の回転数をＣＯ濃度が閾値以下になるまで上昇させて燃焼用空気の不足を補い、Ｓ３の燃焼継続に移行する。
【００４８】
しかし、Ｓ１１でＣＯ濃度の変化量が「中」か比較判断し、「中」でなければＳ１４で給湯用燃焼部１の不完全燃焼と特定し、Ｓ１５で不完全燃焼の改善運転の制御を行うため、給湯用ファン４の回転数をＣＯ濃度が閾値以下になるまで上昇させて燃焼用空気の不足を補い、Ｓ３の燃焼継続に移行する。
【００４９】
以上のように本実施例では、複数の燃焼部が単独燃焼している時はもちろん、同時に燃焼している場合、制御手段はいずれかの燃焼部をいったん消化して燃焼部を停止する前後におけるＣＯ濃度検出手段の検出するＣＯ値の変化量を基準値に対し大、中の２段階に分けて判定することにより、不完全燃焼がどの燃焼部、または複数の燃焼部で同時に発生しているかを特定でき、その不完全燃焼の燃焼部における燃焼用空気供給ファンの出力を増加させることにより、不完全燃焼を改善することができる。
【００５０】
なお、上記各実施例では各燃焼部の不完全燃焼の改善を制御する手段と、どの燃焼部が不完全燃焼しているかを特定する制御手段とを一体にしているが、別々であってもよいことは当然である。
【００５１】
【発明の効果】
以上のように本発明によれば、不完全燃焼がどの燃焼部で発生しているか特定することができ、的確に燃焼部の不完全燃焼を改善することができる。
【図面の簡単な説明】
【図１】本発明の実施例１〜４における複合燃焼機器の不完全燃焼検出装置の構成を示すブロック図
【図２】同実施例１における複合燃焼機器の不完全燃焼検出装置の動作を示すフローチャート
【図３】同実施例２における複合燃焼機器の不完全燃焼検出装置の動作を示すフローチャート
【図４】同実施例３における複合燃焼機器の不完全燃焼検出装置の動作を示すフローチャート
【図５】同実施例４における複合燃焼機器の不完全燃焼検出装置の動作を示すフローチャート
【図６】従来の燃焼機器における不完全燃焼検出装置の構成を示すブロック図
【符号の説明】
１  給湯用燃焼部（燃焼部Ａ）
２  暖房用燃焼部（燃焼部Ｂ）
３  排気部
４  給湯用ファン（燃焼用空気供給ファン）
５  暖房用ファン（燃焼用空気供給ファン）
６  給気部
７  ＣＯ濃度検出手段
８  制御手段
９  給湯用熱交換器
１０  暖房用熱交換器
【図１】
2004226027.tif 000003
【図２】
2004226027.tif 000004
【図３】
2004226027.tif 000005
【図４】
2004226027.tif 000006
【図５】
2004226027.tif 000007
【図６】
2004226027.tif 000008